(57)【要約】      （修正有）【課題】装飾の変更を容易に行うことができる携帯通信端末用ケース及び携帯通信端末用ケース取付体を提供する。【解決手段】携帯通信端末２に取付け及び取外し可能な携帯通信端末用ケース１であって、携帯通信端末の背面２Ａ及び周側面２Ｂの全部又は一部を被覆可能に形成されたケース本体３と、表面に装飾が施されたシート状の装飾部材４と、を備え、ケース本体は、携帯通信端末の背面を覆う底壁部３Ａと、底壁部の周縁から立設されて携帯通信端末の周側面の全部又は一部を覆う側壁部３Ｂと、を有する。さらに、少なくとも底壁部３Ａの全部又は一部が透明又は透光性を有しており、装飾部材４は、ケース本体が携帯通信端末２を被覆した状態において、携帯通信端末４の背面２Ａとケース本体の底壁部３Ａとの間に挟み込まれるように構成する。【選択図】図２
0003178144.tif 000002
【実用新案登録請求の範囲】
【請求項１】
携帯通信端末に取付け及び取外し可能な携帯通信端末用ケースであって、
前記携帯通信端末の背面及び周側面の全部又は一部を被覆可能に形成されたケース本体と、
表面に装飾が施されたシート状の装飾部材と、を備え、
前記ケース本体は、前記携帯通信端末の背面を覆う底壁部と、前記底壁部の周縁から立設されて前記携帯通信端末の周側面の全部又は一部を覆う側壁部と、を有するとともに、少なくとも前記底壁部の全部又は一部が透明又は透光性を有しており、
前記装飾部材は、前記ケース本体が前記携帯通信端末を被覆した状態において、前記携帯通信端末の背面と前記ケース本体の底壁部との間に挟み込まれることを特徴とする携帯通信端末用ケース。
【請求項２】
前記ケース本体は、可撓性を有する熱可塑性樹脂、熱可塑性エラストマー又はゴムからなり、前記携帯通信端末に係止される請求項１記載の携帯通信端末用ケース。
【請求項３】
前記ケース本体及び前記装飾部材には、前記携帯通信端末に具備されている撮影部に対応する位置に孔又は切り欠きがそれぞれ形成されている請求項２記載の携帯通信端末用ケース。
【請求項４】
前記ケース本体には、前記携帯通信端末に具備されており、前記携帯通信端末に入力操作を行うための操作部に対応する位置に孔又は切り欠きが形成されている請求項３記載の携帯通信端末用ケース。
【請求項５】
前記ケース本体には、前記携帯通信端末に具備されており、前記携帯通信端末の外部とデータを入出力するため又は前記携帯通信端末の外部と通信を行うための接続部又は部品挿入部に対応する位置に、孔又は切り欠きが形成されている請求項４記載の携帯通信端末用ケース。
【請求項６】
前記ケース本体には、ストラップを取り付けるための孔が形成されている請求項５記載の携帯通信端末用ケース。
【請求項７】
前記ケース本体は、透明又は透光性を有するポリカーボネートを成形することにより形成されている請求項６記載の携帯通信端末用ケース。
【請求項８】
請求項１乃至７のいずれか一項に記載の携帯通信端末用ケースを携帯通信端末に取り付けてなる携帯通信端末用ケース取付体であって、
前記装飾部材は交換可能に設けられていることを特徴とする携帯通信端末用ケース取付体。
【考案の詳細な説明】
【技術分野】
【０００１】
本考案は、携帯通信端末用ケース及び携帯通信端末用ケース取付体に関する。更に詳しくは、本考案は、装飾の変更を容易に行うことができる携帯通信端末用ケース及び携帯通信端末用ケース取付体に関する。
【背景技術】
【０００２】
近年、スマートフォン等の携帯通信端末にケースを取付けることが広く行われている。このような携帯通信端末用ケースは、主に携帯通信端末の外的な力や粉塵等からの保護を目的として取付けられるが、装飾を目的として、異なるデザインのケースをユーザーの嗜好に応じて着せ替え感覚で交換して取付けることも楽しまれている。しかしながら、着せ替え感覚を楽しむためにはケースを複数種類用意しなければならず、ユーザーの経済的負担が大きいといった問題があった。このような経済的負担を軽減するため、装飾を施した部分のみを交換可能に設けた携帯通信端末用ケースが提案されている（例えば、特許文献１参照）。
【先行技術文献】
【特許文献】
【０００３】
【特許文献１】実用新案登録第３１６８０９０号
【考案の概要】
【考案が解決しようとする課題】
【０００４】
特許文献１に記載された携帯通信端末用ケースの場合、装飾部材として、裏面に粘着剤が塗布された装飾用シールをケース外面に貼付するようにしている。このため、装飾の変更を行うためには装飾用シールをケース外面から剥がす必要があり煩雑であった。また、一度剥がした装飾用シールは、粘着剤が劣化してしまったり、シール自体に剥がす際の折り目やキズがついてしまったりして、再利用することが困難であった。更に、所望の位置にシールを貼ることも困難であった。
【０００５】
本考案は上述の従来の状況に鑑みてなされたものであり、装飾の変更を容易に行うことができる携帯通信端末用ケース及び携帯通信端末用ケース取付体を提供することを目的とする。
【課題を解決するための手段】
【０００６】
本考案は以下のとおりである。
１．携帯通信端末に取付け及び取外し可能な携帯通信端末用ケースであって、
前記携帯通信端末の背面及び周側面の全部又は一部を被覆可能に形成されたケース本体と、
表面に装飾が施されたシート状の装飾部材と、を備え、
前記ケース本体は、前記携帯通信端末の背面を覆う底壁部と、前記底壁部の周縁から立設されて前記携帯通信端末の周側面の全部又は一部を覆う側壁部と、を有するとともに、少なくとも前記底壁部の全部又は一部が透明又は透光性を有しており、
前記装飾部材は、前記ケース本体が前記携帯通信端末を被覆した状態において、前記携帯通信端末の背面と前記ケース本体の底壁部との間に挟み込まれることを特徴とする携帯通信端末用ケース。
２．前記ケース本体は、可撓性を有する熱可塑性樹脂、熱可塑性エラストマー又はゴムからなり、前記携帯通信端末に係止される請求項１記載の携帯通信端末用ケース。
３．前記ケース本体及び前記装飾部材には、前記携帯通信端末に具備されている撮影部に対応する位置に孔又は切り欠きがそれぞれ形成されている請求項２記載の携帯通信端末用ケース。
４．前記ケース本体には、前記携帯通信端末に具備されており、前記携帯通信端末に入力操作を行うための操作部に対応する位置に孔又は切り欠きが形成されている請求項３記載の携帯通信端末用ケース。
５．前記ケース本体には、前記携帯通信端末に具備されており、前記携帯通信端末の外部とデータを入出力するため又は前記携帯通信端末の外部と通信を行うための接続部又は部品挿入部に対応する位置に、孔又は切り欠きが形成されている請求項４記載の携帯通信端末用ケース。
６．前記ケース本体には、ストラップを取り付けるための孔が形成されている請求項５記載の携帯通信端末用ケース。
７．前記ケース本体は、透明又は透光性を有するポリカーボネートを成形することにより形成されている請求項６記載の携帯通信端末用ケース。
８．請求項１乃至７のいずれか一項に記載の携帯通信端末用ケースを携帯通信端末に取り付けてなる携帯通信端末用ケース取付体であって、
前記装飾部材は交換可能に設けられていることを特徴とする携帯通信端末用ケース取付体。
【考案の効果】
【０００７】
本考案の携帯通信端末用ケースによれば、携帯通信端末の背面及び周側面の全部又は一部を被覆可能に形成されたケース本体と、表面に装飾が施されたシート状の装飾部材と、を備えている。ケース本体は、全部又は一部が透明又は透光性を有する底壁部を有しており、装飾部材は、このケース本体の底壁部と携帯通信端末の背面との間に挟み込まれる。このような構成により、容易に装飾部材を交換することができるので、装飾の変更を容易に行うことができる。
また、ケース本体が可撓性を有する熱可塑性樹脂、熱可塑性エラストマー又はゴムからなり、携帯通信端末に係止される場合は、ケース本体を変形させることにより携帯通信端末に容易に取付けることができる。
更に、ケース本体には、携帯通信端末に具備されている撮影部に対応する位置に孔又は切り欠きが形成されている場合は、携帯通信端末用ケースを取付けた状態であっても、孔又は切り欠きから撮影部を露出させることができる。
また、ケース本体には、携帯通信端末に具備されており、携帯通信端末に入力操作を行うための操作部に対応する位置に孔又は切り欠きが形成されている場合は、携帯通信端末用ケースを取付けた状態であっても、孔又は切り欠きから操作部を露出させることができる。
更に、ケース本体には、携帯通信端末に具備されており、携帯通信端末の外部とデータを入出力するため又は携帯通信端末の外部と通信を行うための接続部又は部品挿入部に対応する位置に、孔又は切り欠きが形成されている場合は、携帯通信端末用ケースを取付けた状態であっても、孔又は切り欠きから接続部又は部品挿入部を露出させることができる。
また、ケース本体には、ストラップを取り付けるための孔が形成されている場合は、携帯通信端末自体にはストラップ取付用の孔が形成されていなくても、ストラップを取付けることが可能となる。
更に、ケース本体は、透明又は透光性を有するポリカーボネートを成形することにより形成されている場合は、装飾部材の視認性に優れるケース本体を容易かつ安価に製造することができる。
本考案の携帯通信端末用ケース取付体によれば、上述の効果を奏する携帯通信端末用ケース取付体を実現することができる。
【図面の簡単な説明】
【０００８】
【図１】実施例に係る携帯通信端末用ケース取付体を示す斜視図である。
【図２】実施例に係る携帯通信端末用ケース取付体を示す分解斜視図である。
【図３】実施例に係る携帯通信端末用ケースを示す斜視図である。
【図４】図３のＡ部拡大図である。
【考案を実施するための形態】
【０００９】
１．携帯通信端末用ケース
本考案の携帯通信端末用ケース（１）は、携帯通信端末（２）に取付け及び取外し可能なケースである。携帯通信端末用ケースは、携帯通信端末の背面（２Ａ）及び周側面（２Ｂ）の全部又は一部を被覆可能に形成されたケース本体（３）と、表面に装飾が施されたシート状の装飾部材（４）と、を備えている。ケース本体は、携帯通信端末の背面を覆う底壁部（３Ａ）と、底壁部の周縁から立設されて携帯通信端末の周側面の全部又は一部を覆う側壁部（３Ｂ）と、を有するとともに、少なくとも底壁部の全部又は一部が透明又は透光性を有している。装飾部材は、ケース本体が携帯通信端末を被覆した状態において、携帯通信端末の背面とケース本体の底壁部との間に挟み込まれる（例えば、図１、図２等参照）。
【００１０】
上記「携帯通信端末」としては、例えば、スマートフォン等の携帯電話や、タブレットＰＣ等の携帯情報端末等を挙げることができる。携帯通信端末は、例えば、撮影部や入力操作を行うための操作部、携帯通信端末の外部とデータを入出力するため又は前記携帯通信端末の外部と通信を行うための接続部又は部品挿入部等が具備されていることができる。
【００１１】
なお、上記撮影部としては、例えば、カメラレンズや、フラッシュライト等が挙げられる。上記操作部としては、例えば、オン／オフボタン、サウンドオン／オフスイッチ、音量調整ボタン等が挙げられる。上記接続部としては、例えば、コネクタ、イヤホンジャック、アンテナ（引出式、差込式など）等が挙げられる。上記部品挿入部としては、例えば、各種記憶媒体等の挿入スロット等が挙げられる。
【００１２】
上記「ケース本体」は、その内側に携帯通信端末を収容できる限り、その構成、形状、大きさ等は特に問わない。ケース本体の材質は特に問わないが、例えば、熱可塑性樹脂、熱可塑性エラストマー、ゴム等を挙げることができる。ケース本体の形成形態は特に問わないが、例えば、上記材質を成形することにより形成することができる。また、ケース本体は、例えば、携帯通信端末に係止することができるように、可撓性を有することができる。
上記熱可塑性樹脂は特に限定されず、例えば、ポリオレフィン樹脂、ポリアミド樹脂、ポリエステル樹脂等の汎用の樹脂を用いることができる。特に、ポリカーボネートが好適である。
【００１３】
また、上記熱可塑性エラストマーも特に限定されず、各種の熱可塑性エラストマーを用いることができる。この熱可塑性エラストマーとしては、例えば、スチレン系熱可塑性エラストマー、オレフィン系熱可塑性エラストマー、ウレタン系熱可塑性エラストマー、ポリエステル系熱可塑性エラストマー、ポリアミド系熱可塑性エラストマー等であることができる。
スチレン系熱可塑性エラストマーとしては、例えば、水添スチレン／ブタジエンランダム共重合体、スチレン／ブタジエン／スチレンブロック共重合体、スチレン／イソプレン／スチレンブロック共重合体、スチレン／エチレン／ブチレン／スチレンブロック共重合体、スチレン／エチレン／プロピレン／スチレンブロック共重合体等を挙げることができる。
熱可塑性エラストマーは１種のみ用いてもよく。２種以上を併用してもよい。
【００１４】
更に、上記ゴムも特に限定されず、例えば、エチレン／プロピピレン共重合ゴム、エチレン／プロピピレン／ジエン共重合ゴム、ポリイソプレンゴム等の各種のゴムを用いることができる。ゴムを用いる場合、未架橋品を成形した後、加熱する等の常法によって架橋させて成形することができる。
【００１５】
ケース本体には、例えば、上記携帯通信端末に具備されている撮影部、操作部、接続部、部品挿入部等に対応する位置に、孔又は切り欠きを形成しておくことができる（例えば、図３等参照）。これら孔や切り欠きの形状、大きさ等は特に問わない。上記孔の平面形状としては、例えば、略円形、略楕円形、略矩形、略方形、長孔、だるま孔等であることができる。
また、ケース本体には、例えば、ストラップを取付けるための孔を形成しておくことができる（例えば、図３、図４等参照）。この孔の形状、大きさ、形成位置、個数等は特に問わない。
【００１６】
上記「装飾部材」は、携帯通信端末の背面とケース本体の底壁部との間に収容することができる限り、その形状、大きさ、装飾形態、装飾の図柄等は特に問わない。装飾部材の材質としては、例えば、ポリプロピレン、ポリエチレンテレフタレート等の樹脂を主成分とするシート状樹脂（合成紙）や、パルプ紙、ケナフ紙等の紙、アルミニウム、チタニウム等の金属シート等であることができる。
【００１７】
２．携帯通信端末用ケース取付体
本考案の携帯通信端末用ケース取付体（１００）は、上記実施形態１．の携帯通信端末用ケースを携帯通信端末に取り付けてなる携帯通信端末用ケース取付体であって、装飾部材は交換可能に設けられている。
【実施例】
【００１８】
以下、図面を参照しつつ実施例により本考案を具体的に説明する。
（１）携帯通信端末用ケース取付体の構成
本実施例に係る携帯通信端末用ケース取付体１００は、図１及び図２に示すように、携帯通信端末用ケース１を携帯通信端末２に取付けてなる。
携帯通信端末２は、本実施例においては、主にタッチパネル（図示せず）により操作されるいわゆるスマートフォンである。
携帯通信端末用ケース１は、ケース本体３と、装飾部材４と、を備えており、装飾部材４は交換可能とされている。
【００１９】
ケース本体３は、携帯通信端末２の背面２Ａと周側面２Ｂを被覆可能に設けられている。図３に示すように、ケース本体３は、底壁部３Ａと、この底壁部３Ａの周縁から立設された側壁部３Ｂと、を有している。底壁部３Ａは、携帯通信端末２の背面２Ａに相対する部分である。側壁部３Ｂは、携帯通信端末２の周側面２Ｂに対応する部分である。底壁部３Ａには貫通孔３Ｃが形成されており、この貫通孔３Ｃは、携帯通信端末２に具備されている撮影部２Ｃに対応する位置に形成されている。貫通孔３Ｃは長孔状に形成されている。
【００２０】
また、側壁部３Ｂには貫通孔３Ｄ，３Ｅ，３Ｆが形成されている。貫通孔３Ｄは、平面略矩形状の角穴とされており、携帯通信端末２に具備されている操作部としてのサウンドオン／オフスイッチ２Ｄに対応する位置に形成されている。貫通孔３Ｅ，３Ｆは、それぞれ長孔とされており、携帯通信端末２に具備されている操作部としての音量調整ボタン２Ｅ，２Ｆに対応する位置にそれぞれ形成されている。
【００２１】
更に、側壁部３Ｂには切り欠き３Ｇ，３Ｈが形成されている。切り欠き３Ｇは、携帯通信端末２の操作部としてのオン／オフボタン２Ｇ及び接続部としてのイヤホンジャック２Ｈに対応する位置に渡って形成されている。切り欠き３Ｈは、携帯通信端末２の接続部としてのコネクタ（図示せず）に対応する位置に形成されている。
【００２２】
また、図３及び図４に示すように、ケース本体３にはストラップ５を取り付けるための貫通孔３Ｉ，３Ｊが形成されている。貫通孔３Ｉ，３Ｊは、ケース本体３の側壁部３Ｂを部分的に膨出させた部分にそれぞれ形成されている。
【００２３】
本実施例において、ケース本体３はポリカーボネート製で可撓性を有している。ポリカーボネートは、その全体が、光の透過率が極めて高く、その向こう側が透けて見える透明な性質を有しているものを使用している。ケース本体３はこのポリカーボネートを成形して形成されている。
【００２４】
装飾部材４は、ポリプロピレンを主成分とする合成紙であり、その表面には、図柄による装飾が施されている。この装飾部材４は、ケース本体３が携帯通信端末２を被覆した状態において、携帯通信端末２の背面２Ａと、ケース本体３の底壁部３Ａと、の間に挟み込まれる。また、装飾部材４には貫通孔４Ａが形成されており、この貫通孔４Ａは、携帯通信端末２の撮影部２Ｃに対応する位置に形成されている。貫通孔４Ａは、ケース本体３の貫通孔３Ｃと同様の長孔とされている。
【００２５】
２．携帯通信端末用ケースの作用効果
次に、上記構成の携帯通信端末用ケース１の作用効果について説明する。
携帯通信端末用ケース１を携帯通信端末２に取付けるに際しては、最初に、ストラップ５を貫通孔３Ｉ，３Ｊに通してケース本体３に取付ける。次に、ケース本体３の底壁部３Ａと携帯通信端末２の背面２Ａとの間に装飾部材４を挟み込むようにして、ケース本体３を携帯通信端末２に取付ける。このとき、可撓性を有するポリカーボネートからなるケース本体３は、容易に変形させることができ、容易に携帯通信端末２に取付けることができる。
装飾部材４を交換する場合には、ケース本体３を一旦取外し、上述の手順で所望の装飾部材４を挟み込んで交換する。
【００２６】
以上より、本実施例の携帯通信端末用ケース１によれば、携帯通信端末２の背面２Ａ及び周側面２Ｂを被覆可能に形成されたケース本体３と、表面に装飾が施されたシート状の装飾部材４と、を備えている。ケース本体３は、透明な底壁部３Ａを有しており、装飾部材４は、このケース本体３の底壁部３Ａと携帯通信端末２の背面２Ａとの間に挟み込まれる。このような構成により、容易に装飾部材４を交換することができるので、装飾の変更を容易に行うことができる。
【００２７】
また、ケース本体３が透明な性質を有するポリカーボネートを成形して形成されているので、携帯通信端末２に容易に取付けることができる。
【００２８】
更に、ケース本体３の側壁部３Ｂには、携帯通信端末２の撮影部２Ｃに対応する位置に貫通孔３Ｃが形成されているので、携帯通信端末用ケース１を取付けた状態であっても、この貫通孔３Ｃから撮影部２Ｃを露出させることができ、携帯通信端末用ケース１を取り外すことなく撮影部２Ｃを使用することができる。
【００２９】
また、ケース本体３の側壁部３Ｂには、携帯通信端末２の操作部としてのサウンドオン／オフスイッチ２Ｄ及び音量調整ボタン２Ｅ，２Ｆに対応する位置に貫通孔３Ｄ，３Ｅ，３Ｆがそれぞれ形成されているので、携帯通信端末用ケース１を取付けた状態であっても、貫通孔３Ｄ，３Ｅ，３Ｆから各操作部を露出させて操作することができる。
【００３０】
更に、ケース本体３の側壁部３Ｂには、携帯通信端末２の操作部としてのオン／オフボタン２Ｇ及び接続部としてのイヤホンジャック２Ｈに対応する位置に渡って切り欠き３Ｇが形成されているので、携帯通信端末用ケース１を取付けた状態であってもオン／オフボタン２Ｇ及びイヤホンジャック２Ｈを露出させることができ、携帯通信端末用ケース１を取り外すことなくこれらオン／オフボタン２Ｇ及びイヤホンジャック２Ｈを使用することができる。
【００３１】
また、ケース本体３の側壁部３Ｂには、ストラップ５を取り付けるための貫通孔３Ｉ，３Ｊが形成されているので、携帯通信端末２自体にストラップ取付用の孔が形成されていなくても、ストラップを取付けることが可能となる。
【００３２】
更に、ケース本体３は、透明なポリカーボネートを成形することにより形成されているので、装飾部材４の視認性に優れるケース本体３を容易かつ安価に製造することができる。
【産業上の利用可能性】
【００３３】
本考案は、携帯通信端末の装飾を変更するための技術として広く利用されるとともに、携帯通信端末への外的な力や粉塵等から保護する用途においても利用することができる。
【符号の説明】
【００３４】
１；携帯通信端末用ケース、２；携帯通信端末、２Ａ；背面、２Ｂ；周側面、２Ｃ；撮影部、２Ｄ；サウンドオン／オフスイッチ（操作部）、２Ｅ，２Ｆ；音量調整ボタン（操作部）、２Ｇ；オン／オフボタン（操作部）、２Ｈ；イヤホンジャック（接続部）、３；ケース本体、３Ａ；底壁部、３Ｂ；側壁部、３Ｃ，３Ｄ，３Ｅ，３Ｆ，３Ｉ，３Ｊ；貫通孔、３Ｇ，３Ｈ；切り欠き、４；装飾部材、４Ａ；貫通孔、５；ストラップ、１００；携帯通信端末用ケース取付体。
【図１】
0003178144.tif 000003
【図２】
0003178144.tif 000004
【図３】
0003178144.tif 000005
【図４】
0003178144.tif 000006